(57)【特許請求の範囲】
【請求項１】
結像された被写体像を光電変換して電子的な画像データを得るための撮像手段と、
前記撮像手段により得られた画像データを記録媒体に記録するための記録手段と、
前記撮像手段により得られた画像データを輝度成分データ及び色成分データに変換するための変換手段と、
前記画像データに基づく画像の表示装置への表示時又は前記画像データの記録時に画像サイズを変更するために、前記画像データの画素数を変換するための画素数変換手段とを備え、
前記画素数変換手段は、前記記録媒体から読み出された前記色成分データについて隣接する複数の画素毎の平均値を算出することによって画像を縮小するように画素数を変換した後に、前記縮小された色成分データについて画像を拡大するように画素数を変換することを特徴とする電子カメラ。
【請求項２】
請求項１記載の電子カメラにおいて、前記画素数変換手段により変換された色成分データを含むプリント画像用データを外部プリンタに出力するための出力手段を更に備えたことを特徴とする電子カメラ。
【請求項３】
請求項１記載の電子カメラにおいて、前記画素数変換手段により変換された色成分データを含むプリント画像用データに基づく画像をプリントするためのプリント手段を更に備えたことを特徴とする電子カメラ。
【請求項４】
請求項１から請求項３のいずれか１項に記載の電子カメラにおいて、
前記輝度成分データ及び前記色成分データを前記記録媒体に記録するために、圧縮して圧縮画像データを得るための圧縮手段と、
前記記録媒体から読み出された前記圧縮画像データを伸長して輝度成分データ及び色成分データを得るための伸長手段とを備え、
前記画素数変換手段は、前記伸長手段によって得られた色成分データについて隣接する複数の画素毎の平均値を算出することによって画像を縮小するように画素数を変換した後、前記縮小された色成分データについて画像を拡大するように画素数を変換することを特徴とする電子カメラ。
【請求項５】
請求項１から請求項４のいずれか１項に記載の電子カメラにおいて、
前記画素数変換手段により縮小された色成分データに対して、ローパスフィルタ処理を行うためのローパスフィルタ処理手段を更に備え、
前記画素数変換手段は、前記ローパスフィルタ処理手段によりローパスフィルタ処理された色成分データについて画像を拡大するように画素数を変換することを特徴とする電子カメラ。
【請求項６】
画像データが記録された記録媒体を装着するための装着手段と、
前記装着手段に装着された前記記録媒体から読み出された画像データに基づく画像をプリントするためのプリント手段と、
前記画像を前記プリント手段によりプリントするために、前記画像データの画素数を変換する画素数変換手段とを備え、
前記画素数変換手段は、前記記録媒体から読み出された画像データの色成分データについて隣接する複数の画素毎の平均値を算出することによって画像を縮小するように画素数を変換した後に、縮小された色成分データについて画像を拡大するように画素数を変換することを特徴とするプリンタ。
【請求項７】
請求項６に記載のプリンタにおいて、前記記録媒体から読みされた輝度成分データ及び色成分データを含む圧縮データを伸長して輝度成分データ及び色成分データを得るための伸長手段を更に備え、
前記画素数変換手段は、前記伸長手段により得られた色成分データについて隣接する複数の画素毎の平均値を算出することによって画像を縮小するように画素数を変換した後に、縮小された色成分データについて画像を拡大するように画素数を変換することを特徴とするプリンタ。
【請求項８】
請求項６又は請求項７に記載のプリンタにおいて、
前記画素数変換手段により縮小された色成分データに対し、ローパスフィルタ処理を行うためのローパスフィルタ処理手段を更に備え、
前記画素数変換手段は、前記ローパスフィルタ処理手段によりローパスフィルタ処理された色成分データについて画像を拡大するように画素数を変換することを特徴とするプリンタ。
【発明の詳細な説明】
【０００１】
【発明の属する技術分野】
本発明は、電子カメラで撮影した画像のプリントに関する。
【０００２】
【従来の技術】
電子カメラで撮影した画像がプリントアウトされる場合には、外部プリンタ又は内蔵プリンタで行われている。
【０００３】
しかしながら、電子カメラで撮影した画像には、撮像素子の色ノイズが含まれており、この色ノイズはモニタに表示するときには目立たないレベルであっても、プリントアウトするときに目立つことがある。
【０００４】
そこで、色ノイズを低減するために専用の色ノイズ低減手段を設けることが考えられる。しかし、低コスト化及び小型化の観点から専用の色ノイズ低減手段を設けることは好ましくない。
【０００５】
【発明が解決しようとする課題】
本発明は、特段の色ノイズ低減手段を設けずに色ノイズを低減でき、低コスト化及び小型化を図ることができる電子カメラ及び画像形成装置を提供することを目的とする。
【０００６】
【課題を解決するための手段】
本発明は、前記の課題を解決するために次のような手段を講じた。
【０００７】
本発明に係る電子カメラは、結像された被写体像を光電変換して電子的な画像データを得るための撮像手段と、前記撮像手段により得られた画像データを記録媒体に記録するための記録手段と、前記撮像手段により得られた画像データを輝度成分データ及び色成分データに変換するための変換手段と、前記画像データに基づく画像の表示装置への表示時又は前記画像データの記録時に画像サイズを変更するために、前記画像データの画素数を変換するための画素数変換手段とを備え、前記画素数変換手段は、前記記録媒体から読み出された前記色成分データについて隣接する複数の画素毎の平均値を算出することによって画像を縮小するように画素数を変換した後に、前記縮小された色成分データについて画像を拡大するように画素数を変換することを特徴とする。
【０００８】
上記の電子カメラの好ましい実施態様は以下の通りである。
（１）  前記画素数変換手段により変換された色成分データを含むプリント画像用データを外部プリンタに出力するための出力手段を更に備えたこと。
（２）  前記画素数変換手段により変換された色成分データを含むプリント画像用データに基づく画像をプリントするためのプリント手段を更に備えたこと。
（３）  前記輝度成分データ及び前記色成分データを前記記録媒体に記録するために、圧縮して圧縮画像データを得るための圧縮手段と、前記記録媒体から読み出された前記圧縮画像データを伸長して輝度成分データ及び色成分データを得るための伸長手段とを備え、前記画素数変換手段は、前記伸長手段によって得られた色成分データについて画像を縮小するように画素数を変換した後、前記縮小された色成分データについて画像を拡大するように画素数を変換すること。
（４）  前記画素数変換手段により縮小された色成分データに対して、ローパスフィルタ処理を行うためのローパスフィルタ処理手段を更に備え、前記画素数変換手段は、前記ローパスフィルタ処理手段によりローパスフィルタ処理された色成分データについて隣接する複数の画素毎の平均値を算出することによって画像を拡大するように画素数を変換すること。
なお、上記の各実施態様は、それぞれ別々に適用しても良いし，適宜組合せて適用可能である。
【０００９】
本発明に係るプリンタは、画像データが記録された記録媒体を装着するための装着手段と、前記装着手段に装着された前記記録媒体から読み出された画像データに基づく画像をプリントするためのプリント手段と、前記画像を前記プリント手段によりプリントするために、前記画像データの画素数を変換する画素数変換手段とを備え、前記画素数変換手段は、前記記録媒体から読み出された画像データの色成分データについて隣接する複数の画素毎の平均値を算出することによって画像を縮小するように画素数を変換した後に、縮小された色成分データについて画像を拡大するように画素数を変換することを特徴とする。
【００１０】
上記のプリンタの好ましい実施態様は以下の通りである。
（１）  前記記録媒体から読みされた輝度成分データ及び色成分データを含む圧縮データを伸長して輝度成分データ及び色成分データを得るための伸長手段を更に備え、前記画素数変換手段は、前記伸長手段により得られた色成分データについて隣接する複数の画素毎の平均値を算出することによって画像を縮小するように画素数を変換した後に、縮小された色成分データについて画像を拡大するように画素数を変換すること。
（２）  前記画素数変換手段により縮小された色成分データに対し、ローパスフィルタ処理を行うためのローパスフィルタ処理手段を更に備え、前記画素数変換手段は、前記ローパスフィルタ処理手段によりローパスフィルタ処理された色成分データについて画像を拡大するように画素数を変換すること。
なお、上記の各実施態様は、それぞれ別々に適用しても良いし，適宜組合せて適用可能である。
【００１１】
【発明の実施の形態】
図面を参照して本発明の実施の形態を説明する。図１は、本発明が適用されるプリンタ機能を備えた電子カメラの外観図である。図１の（ａ）はカメラの表面側（すなわち被写体側）から見た図であり、図１の（ｂ）はカメラの裏面側から見た図である。
【００１２】
図１の電子カメラにおいては、その表面には、被写体の光学像を取り込むズームレンズ１１と、撮影を行うためのレリーズボタン６１と、被写体の光量が足りないときに光量を補うためのストロボ５６と、画像をプリントするための用紙を収納するカートリッジ用のプリントカートリッジ蓋８４とが配置されている。なお、図１の電子カメラでは、フィルム８５はカメラ本体１０の上方から排出されるように構成されている。
【００１３】
また、電子カメラの裏面には、撮影や再生や印刷などの各モードを設定するためのモードスイッチ６２と、ズームレンズ１１から取り込んだ被写体像を表示したり、記録されている画像を再生表示するための画像表示用ＬＣＤ３０や、ズームレンズにズームを行わせるためのズームレバー６３と、ズームレバーに一体的に構成され、例えば、各種選択等に使用される十字キー６４とが配置されている。また、プリントボタン６５を押すことにより、画像のプリントを行ない、画像がプリントされたフィルム８５がカメラ本体１０の上方から排出される。
【００１４】
上記の電子カメラの概略ブロック図を図２に示し、図３にプリンタの概略ブロック図を示す。なお、図３は、カメラの機能を除きほぼ図２と同様の構成であるので、同一部分には、同一符号を付し、その詳細な説明は省略する、
ズームレンズ系１１（単に「ズームレンズ」とも称する。図１ではズームレンズ１１に相当）を通過した被写体からの光学像は、例えばＣＣＤからなる撮像素子１２で電気信号に変換される。そして、撮像回路１３で、アナログ画像信号に変換されて、Ａ／Ｄ変換器１４でデジタル信号に変換される。このデジタル信号は、一時記憶用のＲＡＭ等で構成される内蔵メモリ３５に記憶された後に、例えば、ＪＰＥＧ圧縮処理（以下の説明において、圧縮はＪＰＥＧ圧縮として説明する）によって圧縮されてメモリＩ／Ｆ２２を介して、カードスロット２１に装着された着脱可能なメモリカード２０に記録される。
【００１５】
外部インターフェース２６は、電子カメラと外部機器とのデータのやり取りを行うためのものであり、ＲＳ２３２Ｃ等の通信インターフェースや、シリアルインターフェースなどを含み、外部入出力端子２５を介して例えばパーソナルコンピュータ等の外部機器と接続される。
【００１６】
メモリカード２０に記録された画像は、内蔵メモリ３５に一時的に読み出され、ビデオメモリ３３に展開されてビデオ出力回路３２でビデオ信号に変換されて画像表示用ＬＣＤ３０に表示したり、ビデオ出力としてビデオ出力端子３１に接続された図示しない外部の表示機器に表示される。ＲＯＭ３６は、例えば、書き換え可能な不揮発性メモリ（ＥＥＰＲＯＭ等のフラッシュメモリ等）からなり、基本的な制御プログラム等が格納されている。
【００１７】
ＡＳＩＣ４０は、メモリカードに記録するために画像の圧縮を行ない、メモリカードから読み出した圧縮画像を伸長したりするＪＰＥＧ圧縮伸長処理と、表示或いはプリントの画素数に応じたリサイズを行なうリサイズ処理（すなわち画素数変換処理）を行う。なお、このＡＳＩＣ４０からの制御信号により、図示しないＣＣＤ駆動回路が制御されて撮像素子１２を駆動し、また、撮像回路１３が制御される。
【００１８】
システムコントローラ（シスコン）５０は、操作部６０（例えば、図１における、レリーズボタン６１や、ズームレバー６３や、十字キー６４など）からの入力操作に従って、各部の制御を行う。また、シスコン５０には、電源部７０が接続されており、電池７１からの電力により常時オン状態になっている。また、電子カメラは、外部電源でも動作可能になっており、外部電源入力端子７２から外部電源の供給を受けて動作するようになっている。この時、例えば、電池７１が充電可能な電池であれば、シスコン５０の制御により電源部７０は、外部電源によるカメラの動作と共に、電池７１の充電も行うことができる。また、シスコン５０にはメモリカード２０の装着の有無の検出信号も入力し、メモリカード２０が装着されているか否かの判断も行う。更に、シスコン５０はオートパワーオフの制御も行う。
【００１９】
シスコン５０は、上記のような各部の制御処理以外に、各種の画像処理、例えばＹＵＶ系からＲＧＢ系への変換処理、詳細は後述するＵＳＭ処理やＬＰＦ処理、更には、プリンタ用のＲＧＢに変換する色変換処理等を行なう。
【００２０】
また、シスコン５０は、ストロボ発光部５６（図１では、ストロボ５６に相当）を制御して、ストロボの発光を行ったり、レンズ駆動制御回路５７にレンズ駆動部５８の制御を行わせて、ズームレンズ系１１の制御を行ったりする機能も有している。
【００２１】
更に、シスコン５０は、ＬＣＤシャッタ６７を制御して、ＬＥＤ６６からの光量を変化させたり、フィルム駆動制御回路８２を制御して、フィルム駆動回路８１を駆動して、フィルムカートリッジ８０からフィルム８５を取出して搬送しながら感光させる。なお、ここにおいて、ＬＣＤシャッタ６７を用いたフィルムへの感光用画像データは、ラインメモリ４５によって１ライン毎に取り込まれた画像データに基づいて、ＬＣＤ制御回路４６がＬＣＤシャッタを制御することによって所望の画像としてフィルム８５に感光される。また、フィルムカートリッジ８０に取り付けられているＦ電池８３は、通常のインスタントカメラに装備されているものであって、本発明の特徴には、特に、関連しないので、詳細な説明は省略する。
【００２２】
図３は、プリンタのブロック図である。図３において、図２と同じ部分には同じ符号を付しているが、基本的に、図２のブロック図から撮像系を除いたものであるので、詳細な説明は省略する。
【００２３】
図４は、本発明に適用される内蔵メモリ３５のメモリマップの一例を示す図である。「カードデータ領域」は、カードデータを一時記憶するための領域である。「ワーク領域」は様々な処理を行なうための作業領域として使用される領域である。「表示データ領域」は、表示用の画像データを一時的に記憶する領域である。「プリントデータ」領域はプリント用の表示用の画像データを一時的に記憶する領域である。このように、内蔵メモリ３５がマッピングされて使用されている。
【００２４】
図５は、上記のように構成された電子カメラの操作フローを模式的に示したものである。このフローは撮影及びプリントの代表的な流れを簡易的に示したものである。
【００２５】
まず、電源オフの状態からモードスイッチ６２を操作して電源をオンにするとカードチェックがなされる、ここで、カードが装着されていることが確認されると各モードに移行することになる。
【００２６】
撮影モードでは、レリーズボタン６１の操作によって撮影が行なわれ、まず、１回目のレリーズ操作（半押し状態）でＡＥ／ＡＦを行ない、２回目のレリーズ操作（全押し状態）で撮影を行なう。また、ズームレバー６３を図示のようにＷ或いはＴのいずれかの方向に倒すことによりズーム操作が行なわれる。なお、図示のようなズームになるような操作は、レバーをＴの方向に倒せば良い。この撮影モードの流れを図６を参照して説明する。図６は、基本的な撮影の流れを示すフローチャートである。
【００２７】
まず、ズームレバーに対する操作があったかどうかを判断し（ステップＡ１）、ズームレバーの操作があった場合には、ズームレバーの操作に応じてレンズが駆動し（ステップＡ２）、次の操作を待つ。ズームレバーの操作が無い状態で、１回目のレリーズ操作が行なわれた場合には（ステップＡ３）、ＡＥ（自動露出）、ＡＦ（自動焦点）動作が実行され（ステップＡ４）、更に２回目のレリーズ操作が行なわれた場合には（ステップＡ５）、撮像処理が行なわれる（ステップＡ６）。そして、画素数モードを判定し（ステップＡ７）、例えば、６４０×４８０モードであれば、画素数を１２８０×９６０画素から６４０×４８０画素の画像に変換する画素数変換処理を行なう（ステップＡ８）。なお、この場合において、撮像素子で得られた画像の画素数を１２８０×９６０画素としている。従って、画素数モードが１２８０×９６０であれば、画素数変処理は不要であるので、次の処理に進む。この時点で、画素数が画素数モードに応じた画素数になっているので、この画像についてＷＢ（ホワイトバランス）やその他の画像処理を行ない（ステップＡ９）、例えばＪＥＰＧ圧縮によるデータ処理によってデータを圧縮して（ステップＡ１０）、記録媒体に画像データを記録する（ステップＡ１１）。このようにして、撮影した画像の記録が行なわれる。
【００２８】
プリントモードにおけるプリントには、１コマプリントとインデックスプリントがあり、デフォルト値は、１コマプリントになっている。この場合において、十字キーにより所望の画像を選択してプリントを行なう。また、インデックスプリントは、ズームレバーを例えば、Ｗの方向に倒すことによって、インデックスプリントモードになる。そして、１コマプリントと同様に、所望のインデックスを選択してプリントを行なう。このプリントモードの流れを図７を参照して説明する。図７は、基本的なプリントの流れを示すフローチャートである。
【００２９】
まず、メモリカード２０より画像ファイルを読み出すと（ステップＢ１）、表示用の画像処理（１コマ分）がなされて（ステップＢ２）、画像表示用ＬＣＤ３０に画像表示が行なわれる（ステップＢ３）。この時点では、基本的に１コマプリントモードになっている。ここで、十字キー６４を操作して他の画像を選択することにより（ステップＢ４）、メモリカード２０から選択した画像ファイルが読み出されて（ステップＢ１）、ステップＢ４までの動作を繰り返す。次に、ズームレバー６３の操作があったかどうかが検出され（ステップＢ５）、ズームレバー６３の操作があった場合には（この場合には、ＷＩＤＥ方向にレバーが操作されたものとする）、インデックスモードになり、メモリカード２０から例えば図８に示すような４コマで構成されたサムネイルデータが読み出される（ステップＢ６）。そして、読み出されたサムネイルデータにインデックス表示用の画像処理がなされて（ステップＢ７）、画像表示用ＬＣＤ３０上にインデックス表示がなされる（ステップＢ８）。そして、この表示中にズームレバー６３の操作（ステップＢ９）や、十字キー６４の操作（ステップＢ１０）や、プリントボタン６５の操作（ステップＢ１１）があったかどうかが判断され、ズームレバー６３が操作（この場合はＴＥＬＥ方向にレバーが操作）された場合には（ステップＢ９）、１コマプリントモードに移行し（ステップＢ２）、１コマプリントモードと同様に十字キーの操作することにより他のサムネイル画像を選択することができ、十字キーの操作により他のサムネイル画像を選択すると（ステップＢ１０）、メモリカード２０から選択したサムネイル画像に対応するサムネイルデータを読み出して（ステップＢ６）、ステップＢ１０までの動作を繰り返す。そして、プリントボタン６５が操作されるまで（ステップＢ１１）、ステップＢ９からの動作を繰り返し、プリントボタン６５の操作によって（ステップＢ１１）、プリント用の画像処理を行ない（ステップＢ１３）、プリントを実行する（ステップＢ１４）。また、ステップＢ５において、ズームレバー６３の操作が無い場合には、プリントボタン６５が操作されるまで（ステップＢ１２）、ステップＢ４からの動作を繰り返し、プリントボタン６５の操作によって（ステップＢ１２）、プリント用の画像処理を行ない（ステップＢ１３）、プリントを実行する（ステップＢ１４）。このようにしてプリントが実行される。
【００３０】
図９は、表示用の画像処理の流れを示すフローチャートであり、図９の（ａ）は１コマ表示の場合であり、図９の（ｂ）はインデックス表示の場合のフローチャートである。
【００３１】
図９の（ａ）における１コマ表示の場合における画像処理では、まず、ＪＰＥＧ圧縮された画像を読み出して伸長し、ワーク領域に格納する（ステップＣ１）。この場合、画像伸長は例えば８ラインごとに行われる。次に、画像のサイズが判定され（ステップＣ２）、画像サイズが表示用の画像サイズよりも大きい場合（例えば１２８０×９６０画素）には、リサイズ処理（１２８０×９６０画素→６４０×４８０画素）が行なわれて表示データ領域に格納される（ステップＣ３）。ステップＣ２において、画像サイズが表示用の画像サイズと等しいのであれば、ワーク領域からデータ表示領域に画像データがコピーされる（ステップＣ４）。そして、全ラインについてステップＣ１からステップＣ４の動作が終了すると（ステップＣ５）、画像データがすべて揃うことになるので、処理が終了する。
【００３２】
インデックス表示の場合における画像処理では、ＪＰＥＧ圧縮された画像を全ラインについて伸長して表示データ領域に格納する（ステップＤ１）。そして、この動作を４コマ分終了するまで（ステップＤ２）行なうことにより、表示用の画像データがすべて揃うことになるので、処理を終了する。
【００３３】
上記のような基本動作に基づいて、図１０を参照して本発明の第１の実施形態を説明する。図１０は本発明の第１の実施形態の流れを示すフローチャートである。まず、画像表示が１コマ表示であるか、インデックス表示であるかを判定する（ステップＥ１）。ここで、１コマ表示であれば、本発明を適用するので詳細は後述する以下のステップＥ２からステップＥ４の処理を実行し、インデックス表示であれば本発明を適用しないので、ステップＥ５の処理を実行する。なお、以下の説明においては、表示されている画像データはＹ成分と、Ｕ成分と、Ｖ成分を持つものとして説明する。
ステップＥ１において、１コマ表示であれば、Ｙ成分にＵＳＭを適用して、プリントデータ領域に格納する（ステップＥ２）。ここにおいて、ＵＳＭ処理は画像をシャープにするための処理であって、例えば図１１に示すように、例えば自分の画素を「３」、自分の画素の下の画素と右の画素をそれぞれ「−１」とするような重み付けを行なって、各画素の輝度を演算する処理である。この場合のアルゴリズムは。例えば、
Ｙｉ”，ｊ”＝Ｙｉ’，ｊ’＊３
−Ｙｉ’＋１，ｊ’−Ｙｉ’，ｊ’＋１
となる。次に、Ｕ、Ｖ成分に画素数変換処理（例えば画素数を１／４とするように、６４０×４８０→１６０×１２０に画素数を減少する処理）を適用してワーク領域に格納する（ステップＥ３）。この場合において、例えばワーク領域内のデータは、図１２の（ａ）の一部を取出すと画素数変換処理前は図１２の（ｂ）のようになっているが、図１２の（ｃ）に示す変換式に従って画素数を減少させる。なお、この変換式は画素数を１／４にする場合の変換式となっている。そして、画素数変換処理によって画素数を減少したＵ、Ｖ成分について、再度画素数変換処理を行なって画素数を増加させる（１６０×１２０→６４０×４８０）処理を行なってプリントデータ領域に格納する（ステップＥ４）。このように、Ｕ成分とＶ成分に対して一旦画素数を減少して再度増加する処理をすることにより、スパイクノイズを抑えることができるので、その結果撮像素子の色ノイズを特別な色ノイズ低減手段を用いることなく低減することができる。
【００３４】
図１３は、本発明の第２の実施形態の流れを示すフローチャートである。図１３において、図１０と同じ処理には同じ符号を付し、説明は省略する。図１３のステップＥ３までは図１０と同じであるので説明を省略する。ステップＥ３での画素数変換処理後に、ワーク領域に格納されているＵ成分とＶ成分にＬＰＦを適用する（ステップＦ１）。このＬＰＦ処理は、例えば図１４に示すような演算を全画素について行なうことにより実行される。このＬＰＦ処理によってスパイクノイズのような極端に色相の異なる画素を緩和することができる。そして、その後に、画素数変換処理（ステップＥ４）により元の画素数に戻しているので、本発明の効果が更に得られることになる。なお、ステップＥ４以降の処理についても図１０と同様であるので、詳細な説明は省略する。
【００３５】
上記のように、本発明によれば、画素数変換処理を２回（画素数減少→画素数増加の２回）行なうことにより、撮像素子のノイズを専用の色低減手段を必要とせずに低減することができる。更に、ＬＰＦを１回目の画素数変換処理の後に行なうことにより、更に効果的に色ノイズを低減することができる。
【００３６】
図１５は、本発明に係る処理の概略ブロック図を示したものである。図１５の（ａ）は、従来の処理ブロック図である。図１５の（ｂ）と図１５の（ｃ）は、ぞれぞれ、本発明の図１０と図１３に対応する処理ブロックであり、ＪＰＥＧ伸長からマトリックス変換までを示している。図１５の（ａ）において、ＪＰＥＧファイルは、ＪＰＥＧ伸長されてＹＵＶの各成分が出力される。そして、そのうちの、ＵＶの２成分についてＬＰＦ処理が行なわれて、処理後のＵ’Ｖ’成分とＹ成分がマトリクス変換されて、ＲＧＢ成分に変換され、プリンタ用の画像処理がなされて、プリンタに出力される。この場合において，ＬＰＦは、ＪＰＥＧ伸長されたＵＶ成分のすべてを処理しなくてはならないので、非常に規模が大きくなり、コスト及び処理の面で問題がある。これに対し、本発明では、まず図１５の（ｂ）では、ＵＶの２成分に対して単に２回の画素数変換処理のみを行なうのみで、色ノイズを低減している（第１の実施形態に対応）。このようにすれば、新たな構成を必要とせずに、色ノイズを低減することができる。更に，図１５の（ｃ）では、一旦画素数変換処理で画素数を減少した後にＬＰＦ処理を行なうようにしているので、従来のような、ＪＰＥＧ伸長されたＵＶ成分についてすべてＬＰＦ処理を行なう必要が無いので、ＬＰＦ処理を行なうようにした場合であっても、規模を小さくできる（第２の実施形態に対応）。
【００３７】
本発明は、上記の発明の実施の形態に限定されるものではない。上記の実施形態に於いては、プリンタを内蔵した電子カメラで説明したが、プリンタを内蔵しない電子カメラに適用しても良い。この場合、上記の実施形態と同様に図１０、図１３のプリント画像処理を行いプリント画像用データを得、このプリント画像用データを外部Ｉ／Ｆ２６、外部入出力端子２５の出力手段により外部プリンタに出力するように構成する。
本発明の要旨を変更しない範囲で種々変形して実施できるのは勿論である。
【００３８】
【発明の効果】
本発明によれば次のような効果が得られる。
画素数変換手段により、色成分データのみについて、まず画像を縮小するように画素数を変換して、その後に画像を拡大するように画素数を変換することにより、撮像素子の固有の色ノイズが低減される。すなわち、本発明においては、電子カメラが表示装置への表示や画像サイズの変更のために通常有している画素数変換手段をプリント画像の色ノイズの低減に兼用するので、別途色ノイズ低減用の手段を必要としないので、低コスト化及び小型化を図ることができる。
【００３９】
上記のように処理した画像データを外部プリンタ或いは内蔵プリンタに出力するようにしたので、外部プリンタや内蔵プリンタにて色ノイズが低減された良好なプリントが可能となる。
【００４０】
画像データから変換された輝度成分データと色成分データを用いる圧縮（符号化）方式を適用することで、伸長後の色成分データを直接色ノイズ低減のために用いることができ、別途色ノイズ低減用の色成分データ生成手段を必要としないので、低コスト及び小型化を図ることができる。
【００４１】
ローパスフィルタ処理により、スパイクノイズのような高周波の色ノイズを更に効果的に低減することができる。また、画像を縮小するように画素数変換された色成分データについてローパスフィルタ処理するので、高速に処理が可能であり、フィルタサイズを小さくすることができる。
【００４２】
プリント時に記録紙に適合するように画像サイズを変更するための画素数変換手段を、プリント画像の色ノイズを低減するために兼用するので、別途色ノイズ低減用の手段を必要とせず、低コスト化及び小型化を図ることができる。
【００４３】
画像データが輝度成分データと色成分データに変換されたのちに圧縮されて記録媒体に記録されている場合には、伸長後の色成分データを直接色ノイズ低減のために用いることができ、別途色ノイズ低減用の色成分データ生成手段を必要としないので、低コスト及び小型化を図ることができる。
【００４４】
ローパスフィルタ処理により、スパイクノイズのような高周波の色ノイズを更に効果的に低減することができる。また、画像を縮小するように画素数変換された色成分データについてローパスフィルタ処理するので、高速に処理が可能であり、フィルタサイズを小さくすることができる。
【図面の簡単な説明】
【図１】本発明が適用されるプリンタ機能を備えた電子カメラの外観図。
【図２】電子カメラの概略ブロック図。
【図３】プリンタの概略ブロック図。
【図４】本発明に適用される内蔵メモリ３５のメモリマップの一例を示す図。
【図５】電子カメラの操作フローを模式的に示した図。
【図６】基本的な撮影の流れを示すフローチャート。
【図７】基本的なプリントの流れを示すフローチャート。
【図８】４コマのサムナイル画像の表示例を示す図。
【図９】表示用の画像処理の流れを示すフローチャート。
【図１０】図１０は本発明の第１の実施形態の流れを示すフローチャート。
【図１１】ＵＳＭ処理を説明するための図。
【図１２】本発明に係る画素数変換処理を説明するための図。
【図１３】本発明の第２の実施形態の流れを示すフローチャート。
【図１４】ＬＰＦ処理を説明するための図。
【図１５】本発明に係る処理の概略ブロック図。
【符号の説明】
１０…カメラ本体
１１…ズームレンズ系
１２…撮像素子
１３…撮像回路
１４…Ａ／Ｄ変換器
２０…メモリカード
２１…カードスロット
２５…外部入出力端子
２６…外部インターフェース
３０…画像表示用ＬＣＤ
３１…ビデオ出力端子
３２…ビデオ出力回路
３３…ビデオメモリ
３５…内蔵メモリ
３６…ＲＯＭ
４０…ＡＳＩＣ
４５…ラインメモリ
４６…ＬＣＤ制御回路
５０…シスコン
５６…ストロボ発光部
５７…レンズ駆動制御回路
５８…レンズ駆動部
６０…操作部
６１…レリーズボタン
６２…モードスイッチ
６３…ズームレバー
６４…十字キー
６５…プリントボタン
６６…ＬＥＤ
６７…ＬＣＤシャッタ
７０…電源部
７１…電池
７２…外部電源入力端子
８０…フィルムカートリッジ
８１…フィルム駆動回路
８２…フィルム駆動制御回路
８３…Ｆ電池
８４…プリントカートリッジ蓋
８５…フィルム
【図１】
0004794726.tif 000002
【図２】
0004794726.tif 000003
【図３】
0004794726.tif 000004
【図４】
0004794726.tif 000005
【図５】
0004794726.tif 000006
【図６】
0004794726.tif 000007
【図７】
0004794726.tif 000008
【図８】
0004794726.tif 000009
【図９】
0004794726.tif 000010
【図１０】
0004794726.tif 000011
【図１１】
0004794726.tif 000012
【図１２】
0004794726.tif 000013
【図１３】
0004794726.tif 000014
【図１４】
0004794726.tif 000015
【図１５】
0004794726.tif 000016